(57)【要約】【課題】ファイルの使用当初からストーリーを含むあらゆる資料の分類保管を確実に整理でき、後日、その資料を確実容易に検索することができるリング式資料ファイルを提供する。【解決手段】資料の中に必ずある主題及び「主語」に着目し、「主語」に該当する４６個の「資料の分類検索のための見出し語」をそれぞれの段４に印字した４６枚の「見出し用紙１」によって仕切られたそれぞれの部分に「資料を挿入するための袋状用紙２」と「資料のストーリーと所在を記録するための記録用紙３」を挿入し、前記の全用紙を２本のリング５で装着しておくことによって、後日必要になると思われる資料そのものの保管または資料のストーリーと所在の記録を可能にし、後日、特定の資料が必要になったら、必要になった資料の主題の中にある「主語」を想定して、「主語」に該当する「見出し語」の部分から、或いはその部分の記録を見て資料を取り出すことを可能とする。【選択図】図１
0003132612.tif 000002
【実用新案登録請求の範囲】
【請求項１】
資料の中に必ずある主題及び「主語」に着目し、「主語」に該当する４６個の「資料の分類検索のための見出し語」を段に印字した４６枚の「見出し用紙」によって仕切られたそれぞれの部分に「前記資料を挿入するための袋状用紙」と「前記資料の主題のストーリー（粗筋）と所在を記録するための記録用紙」を綴じ込んだ形で、前記の全用紙を２本のリングで装着しておき、後日必要になると思われる資料そのもののファイリング又は挿入又は資料のストーリーと所在の記録を可能にし、
後日、特定の資料が必要になったときに、必要になった資料の主題の中にある「主語」を想起又は想定して、それに該当する見出し語が印字されている「見出し用紙」の部分を開き、そこにファイリング又は挿入されている資料を取り出し或いはそこにストーリーと所在が記録されている資料を保管場所から取り出すことを可能にしたリング式資料ファイル。
【請求項２】
前記見出し用紙、前記袋状用紙、前記記録用紙を綴じ込むに当たって及び／又は前記資料をファイリング、挿入又は記録するに当たってファイルが複数にわたった場合に各ファイルの中に含まれている「見出し語」をファイルの背表紙に表示しておくために背表紙に貼り出す４６枚の「見出し語を印字した背見出しラベル」を付加したことを特徴とする請求項１記載のリング式資料ファイル。
【請求項３】
前記資料の主題のストーリーの中にある「主語」「補語」「述語」などをメモしておく「５０音順備忘録」を付加したことを特徴とする請求項１又は２記載のリング式資料ファイル。
【考案の詳細な説明】
【技術分野】
【０００１】
本考案は、リング状の綴じ具に段（山とも呼ばれる。）の付いた見出し用紙（インデックスともいう。）と文字を書くための記録用紙（ルーズリーフともいう。）を綴じ込み、見出し用紙で仕切られた記録用紙の上に任意の文字を記録しておくために用いるファイルで、その背表紙に背見出しカードを挿入したり、背見出しラベルを貼付したりできるようになっている、通常、「リングファイル」とか「バインダーノート」とか呼ばれる「ファイル」の構造と組合せに関するものである。
【背景技術】
【０００２】
従来のリングファイルの見出し用紙の段（山）と背見出しカード又は背見出しラベルはすべて白紙であり、資料の分類検索のための索引とする「見出し語」を印字したものはなく、ユーザーがファイルを使う時点で、その都度、自ら必要と思われる任意の見出し語を工夫して書き込んでいる。また、ファイルの中に綴じ込むのはルーズリーフと呼ばれる葉状の記録用紙だけである。（非特許文献１）。
【０００３】
また、書類や切り抜き等の資料を、確実かつ自由に保存するため、資料の着脱を手軽で容易にしたファイルとして、ページに添付剤を塗って切り抜き等を貼付するか、ビニール製の袋状のページを用意して資料を収納するものが提案されている（特許文献１）。
【非特許文献１】「株式会社ネットオフィス（電話０５２−３２４−７２６１）」発行のカタログ「Ｋａｕｎｅｔ第１１号」（３２４頁，３２５頁、３３３頁、３３５頁及び５２５頁）。
【特許文献１】実開平６−４５７６４号公報（要約、図1、図３）。
【考案の開示】
【考案が解決しようとする課題】
【０００４】
上記の後者の文献におけるファイルは、書類や切り抜き等を、保存することだけが考えられており、分類検索のための見出しについては考えられていない。いずれの背景技術においても、ユーザーがファイルを使う度に自ら任意の見出し語を工夫して記入する必要がある。これは、煩雑であり、また、後日、見出し語の加除訂正を余儀なくされることも多く、このような弥縫策を繰り返していても見出し語全体の体系が安定するまでには時間がかかる。
【０００５】
また、上記のファイルの使用目的も中途半端であり、資料の分類検索のために利用しようとしても、すべての資料そのものを保管する手段が整っておらず、資料の所在などを記録しておいたとしても、後日、その記録を確実に見られるかどうかは自ら記入した見出し語の機能次第である。
【０００６】
そこで、本考案が解決しようとする課題は、ファイルの使用当初から資料の分類保管を確実に行うことができ、後日、その資料を確実容易に検索可能することができるリング式資料ファイルを提供することにある。
【課題を解決するための手段】
【０００７】
上記課題を解決するために、本考案では、資料の中に必ずある主題及び「主語」に着目し、「主語」に該当する４６個の「前記資料の分類検索のための見出し語」を段（山）に印字した４６枚の「見出し用紙」によって仕切られたそれぞれ部分に「前記資料を挿入するための袋状用紙」と「前記資料の主題のストーリー（粗筋）と所在を記録するための記録用紙」を綴じ込む形で、前記の全用紙を２本のリングで装着しておき、後日必要になると思われる資料そのもののファイリング又は挿入又は資料のストーリーと所在の記録を可能にし、後日、特定の資料が必要になったときに、必要になった資料の主題の中にある「主語」を想起又は想定して、それに該当する見出し語が印字されている「見出し用紙」の部分を開き、そこにファイリング又は挿入してある資料を取り出し、或いはそこにストーリーと所在が記録されている資料を保管場所から取り出すことを可能としたリング式資料ファイルとする。
【０００８】
これによって、ストーリー（物語や出来事などの粗筋）を含まないリストやメニューやカレンダーなどを除いたあらゆる資料の中に必ずある主題（テーマ、主要題目、要旨など）及びその中に必ずある「主語（主役又は主体と考えてもよい）」に着目し、「主語」に該当する４６個の「資料の分類検索のための見出し語」を段（山）に印字した４６枚の「見出し用紙（仕切り用紙）」によって仕切られたそれぞれの部分に「資料そのものを挿入するための袋状用紙」と「資料の主題のストーリー（粗筋）と所在（在る場所）を記録するための記録用紙」を綴じ込んでおき、同時に、リングを２本に絞ることによって後日必要になると思われるあらゆる資料そのものの保管（直接ファイリング又は袋状用紙への挿入）とあらゆる資料のストーリーと所在の記録（記録用紙への記録）を可能にし、後日、特定の資料が必要になったら、必要になった資料の主題の中にある「主語」を所定の方法で想起又は想定して、それに該当する見出し語が印字されている「見出し用紙」の部分を開き、そこにファイリング又は挿入してある資料を取り出し、或いはそこにストーリーと所在を記録してある資料を保管場所から取り出すことを可能にした。
【０００９】
また、各ファイルの中に含まれている「見出し語」をファイルの背表紙に表示するために背表紙に貼り出す４６枚の「見出し語を印字した背見出しラベル」を付加したリング式資料ファイルとすれば、見出し用紙や袋状用紙や記録用紙や資料を綴じ込む場合に当該ファイルの厚さの関係でファイルが復数冊にわたる場合でも、各ファイルの中に含まれている見出し語をファイルの背表紙に表示することが可能となり、全ファイルの構築と利用が容易となる。
【００１０】
また、前記資料の主題のストーリーの中にある「主語」「補語」「述語」をメモしておく「５０音順備忘録」を付加したリング式資料ファイルとすれば、後日備忘録を見て、資料の「主語」→「見出し語」による検索を確実にすることができ、また、資料によっては資料の主題のストーリー（粗筋）の中にある印象の強い補語又は述語を先にして「補語又は述語＋主語」の形で備忘録にメモしておくことにより資料の「主語」→「見出し語」による検索がより確実になる。
【考案の効果】
【００１１】
本考案によるリング式資料ファイルによれば、「主語」に該当する４６個の「資料の分類検索のための見出し語」を考案し、それらを予め各索引に印字して置くことによって、ファイルの使用当初から資料の保管を確実に整理して行うことができ、また、この整理された保管に基づいて、後日その資料を確実容易に検索することができる。
【考案を実施するための最良の形態】
【００１２】
次に、本考案による１実施の形態としてのリング式資料ファイルの例を図面を参照しつつ説明する。
【００１３】
図１は、本考案に係る一実施の形態としてのリング式資料ファイル１０を示す全体斜視図である。（Ａ）は、見開き状態を示す外観斜視図、（Ｂ）は、閉じた状態の外観斜視図、特に、ファイルの背表紙７と背見出しラベル６を示す図である。図２は、図１のリング式資料ファイル１０の中に綴じ込まれる各用紙の例を示す平面図である。（Ａ）は、見出し用紙１、（Ｂ）は、袋状用紙２、（Ｃ）は、記録用紙３を示している。
【００１４】
図１と図２において、見出し用紙１は、見出し語を印字するために平面的に突出して設けられた段４を有する。各見出し用紙１には、印字された見出し語が重ならないよう、上記段４が順次縦位置をずらしながら設けられている。１冊又は復数冊のリング式資料ファイル１０には後に理由を詳述する４６個の索引となる見出し語が段に印字された見出し用紙１（４６枚）が綴じ込まれる。各４６枚の見出し用紙１の後には、袋状用紙２と記録用紙３が、順に綴じ込まれ、２本のリング５でリング式資料ファイル１０に装着される。記録用紙３には、罫を引いておくのが望ましい。
【００１５】
４６枚の見出し用紙１には、あらゆる資料の中に必ずある主題とその中に必ずある「主語」に着目し、「主語」になり得る森羅万象を体系的に分割（分類）して４６個の索引とした見出し語（下記の＜一覧表＞参照）の一つを、その段４に予め確定的に印字して置く。また、この実施の態様ではリング式資料ファイル１０が一冊の場合を示しているが、必要に応じてファイルを増やすことができる。
【００１６】
ファイルを増やす場合には、ファイルの背表紙７に、そのファイルの中に納められた見出し用紙１の段４に印字されている各見出し語を表示しておく必要があり、このため、各ファイルの中に含まれている見出し語をファイルの背表紙に表示するために貼り出す４６枚の「見出し語を印字した背見出しラベル６」が付加されている。
【００１７】
袋状用紙２と記録用紙３は、４６枚の見出し用紙１によって仕切られた部分に順次綴じ込んでおき、後日必要になると思われる資料そのものを、上記見出し用紙１の見出し語に対応するところに直接ファイリングするか、袋状用紙に挿入するかし、或いは資料の主題のストーリーと所在を記録用紙に記録して置くものとする。
【００１８】
さらに、図３には、この実施の形態で付加されている「５０音順備忘録」の一例を示している。（Ａ）は、閉じた状態の外観斜視図、（Ｂ）は、この「５０音順備忘録」に綴じられている一枚の備忘記録用紙の平面図である。上記資料の主題のストーリー（粗筋）の中にある「主語」「補語」「述語」をメモしておくもので、このメモによって、後日の資料の「主語」→「見出し語」による検索を確実にすることができ、特に、重要な資料については資料の主題のストーリーの中にある「主語」などを特別な形（段落００１０参照）でメモしておくことによって資料の検索をより確実なものとできる。なお、備忘記録用紙の段９Ａには５０音（ア、イ、ウ、エ、オ・・・）を印字して置く。また、備忘記録用紙には罫を引いておくのが望ましい。また、備忘記録用紙の「主語」などのメモの後に資料の所在を付記して置くもの１つの方法である。
【００１９】
後日必要になった特定の資料を検索するに当たって資料の主題の中にある「主語」を想起又は想定する為の手掛かりとしては５０音順備忘録だけでなく、後述するように（段落００２９，００３０参照）、その他の方法も準備している。
【００２０】
なお、ここで用いる４６個の見出し語は「主語」になり得る森羅万象を対象として分割（分類）した言葉、すなわち、「主語」に特化した言葉であるから、このような特化をしていない従来の分類語（例えば、図書館で用いている日本十進分類法の分類項目や全文検索システムで用いているインデックス）、或いは従来のカテゴリー（ジャンル）語（例えば、インターネット上のショッピングモールで用いている「商品別（語句）」やｉタウンページ（登録商標）で用いている「職業別（語句）」など）とは全く異なるものである。
【００２１】
資料の主題の中にある「主語＝誰・何ハ（ガ）」は学校で習ったように資料を通読し、資料の中の主題（テーマ、主要題目、要旨など）を抽出し、主題のストーリー（粗筋）、すなわち、「主語（誰・何ハ（ガ））＋補語（誰・何ヲ、ニ、ト、カラ・・・）＋述語（どうした、どうされた、どんなだ、誰・何だ）」を考えながら、その「誰・何ハ（ガ）」を選び出すことによって捉えることができる。但し、稀に、ストーリーの中の補語が欠ける場合がある。
【００２２】
重要な資料については資料の主題のストーリー（粗筋）＝「主語（誰・何ハ（ガ））＋補語（誰・何ヲ、ニ、ト、カラ・・・）＋述語（どうした、どうされた、どんなだ、誰・何だ）」の中にある主語や補語や述語を５０音順備忘録に主語を中心にメモしておくことによって、後日、重要な資料を検索するに当たって５０音順備忘録を捲ると、「主語」を想起したり想定したりするための手掛かりが得られる。
【００２３】
後日、特定の資料が必要になったら、必要になった資料の主題の中にある「主語」を５０音順備忘録その他を手掛かりにして想起又は想定し、その「主語」に該当する「見出し語」を含むファイルを取り出し、その中の「主語」に該当する見出し語の部分から、又はその部分の記録を見て必要になった資料を簡単に取り出すことができる。
【００２４】
次に、本考案の実施の形態としてのリング式資料ファイルをその準備と資料の蓄積と資料の検索という面からさらに詳細に説明する。
【００２５】
資料ファイルは４６個の見出し語の全部が揃うように複数冊のファイルを準備することが望ましい。
【００２６】
後日必要になると思われる資料があったら、資料の余白に資料の作成年月日又は発行年月日又は報道年月日などを記入した上で、資料を通読し、資料の主題の中の「主語」を捉えてマーク（赤線を引くなど）し、「主語」に該当する見出し語が「背見出しラベル」の中にあるファイルを引き出し、それを開いて同じ見出し語の「見出し用紙」の部分を捲り、下記の（１）、（２）、（３）のような形で資料そのものを直接ファイリングするか、袋状用紙に挿入するか、或いは資料の主題のストーリー（粗筋）と資料の所在（メディア名と年月日・時間などを含む）を記録用紙に記録する。
（１）そのままで又は切り抜いて２穴のパンチで穴あけできる資料についてはパンチして資料そのものをその中の「主語」に該当する見出し語が印字されている「見出し用紙」の部分に直接ファイリングしておく。
（２）上記（１）以外の資料の中で重要な資料については、資料そのものをその中の「主語」に該当する見出し語が印字されている「見出し用紙」の部分にある袋状用紙の中に挿入しておく。
（３）上記（１）、（２）以外の資料については資料そのものを別途時系列に重ねて保存した上で、資料の主題のストーリー（粗筋）と資料の所在をその中の「主語」に該当する見出し語が印字されている「見出し用紙」の部分にある記録用紙に記録しておく。
【００２７】
従って、資料ファイルはリングが２つのもの（いわゆる「２穴」と呼ばれているもの）がよく、その中に綴り込んでおく袋状用紙は透明で上方が開口しているものがよい。
【００２８】
重要な資料については資料の主題のストーリー（粗筋）の中にある「主語」「補語」「述語」を「主語＋補語若しくは述語」又は「補語若しくは述語＋主語（主語よりも補語若しくは述語の方の印象が強い場合）」を「５０音順備忘録」にメモして置く。
【００２９】
後日、特定の資料が必要になったら、必要になった資料の主題のストーリー又はその中にある「主語」を想起できたらそれに該当する「見出し語」を含むファイルを取り出し、想起できなかったら、５０音順備忘録を捲りながら「主語」を想定するか、或いは必要になった資料の主題を決め、決めた主題のストーリー（粗筋）＝「誰・何ハ（ガ）誰・何ヲ、ニ、ト、カラ・・・どうした、どうされた、どんなだ、誰・何だということ」を考えてみる中でその中の「主語（誰・何ハ（ガ））」を想定してそれに該当する「見出し語」を含むファイルを取り出し、ファイルの中の該当する見出し語が印字されている「見出し用紙」の部分から、又はその部分の記録を見て必要になった資料を取り出す。
【００３０】
なお、重要な資料の検索をより確実にするために（ａ）重要な資料の主題のストーリー（粗筋）を印象の強い主語又は補語又は述語に託して（それらを核として）記憶しておくか、（ｂ）重要な資料の主題のストーリーとその資料の所在をパソコンの中に入力・保存しておいて、重要な資料が見つからない場合にスクロール検索（パソコンの画面の中のストーリーと所在の表示を上下左右に移動させながらパソコンの中にあるすべてのストーリーと所在を次々と閲覧してゆく方法）を行えば、多少の時間が掛かっても必要になった資料を確実に取り出すことができる。
【００３１】
出願人は実際に本考案にもとづいて、リング式資料ファイルを試作し、活用してみた。厚手（４４ｍｍ）の市販されているファイル及び「見出し用紙」４６枚及び「ルーズリーフ（用紙）」１３８枚を購入し、「見出し用紙」の「段（山）」に４６個の見出し語を記入し、各「見出し用紙」の次に３枚のルーズリーフを綴り込み、図１に似た全１冊のファイルを作ってマイ（パーソナル）データベースとし、後日必要になると思われる新聞記事があったら赤線で囲んで通読し、その記事が掲載されている新聞を別途時系列に積み重ねて保管しておき、当該記事の主題のストーリー（粗筋）の中にある「主語」を捉え、捉えた主語に該当する見出し語を「段（山）」とする見出し用紙の部分のルーズリーフに記事のストーリーと日付を記入しておき、後日家族や友人などの話題を聞いていて、或いはテレビを見ていてふと関係記事を読みたくなったら当該ファイルを取り出し、必要になった記事とその主題の中にある「主語」を想定して、その主語に該当する見出し語が印字されている「見出し用紙」の部分を捲って狙う「ストーリー」を探し出し、その日付を確かめ、その日付によって別途保管してある新聞の束の中から狙う新聞を取り出し、必要になった記事（赤で囲んである記事）を読むことができる。このようなことをその後も継続して実施している。
【００３２】
［４６個の見出し語とそれらを把握する方法］
上記で触れてきた４６個の見出し語は下記に列記する通りである。その前に「見出し語」を把握する方法について説明する。
最初に、下記の見出し語一覧表の中の１．の一次区分の項目（１０種類）と２．のロ．の「そのものごと」の二次区分の項目（６種類）と３．の「問題者（達）」の三次区分の項目（７種類）を暗記してしまい、次に、２．のイ．の「この人」と「この人達」の二次区分についての体系（下記の２．のイ．参照）を念頭において、初めにその「主語」が「外国人（達）」か、（以下の項目はすべて日本人（達）である）「問題者（達）」かを決め、「外国人（達）」だったらその項目を選び出し、「問題者（達）」だったら暗記している３．の三次区分（７種類）の中から該当する項目を選び出し、「外国人（達）」でも「問題者（達）」でもなかったら、さらに、「主語」が「仕事人（達）」か「非仕事人（達）」か「その他の人（達）＝仕事人（達）と非仕事人（達）の混合体」かを決め、あとはそれぞれの項目を順に辿って選び出す。
【００３３】
［見出し語一覧表］
『  』で囲んだ「見出し語」だけを見出し用紙の段（山）及び背見出しラベルに印字する。
１．「主語→見出し語」の一次区分の項目は次の１０種類である。
（１）  『私』（自分）
（２）  『私達』（自分又は「自分と家族」を含む複数人。）
（３）  『この人』（「自分と家族」以外の自分の身内と仲間である個人。）
（４）  『この人達』（「自分と家族」以外の自分の身内と仲間である複数人。）
（５）  その人（第三者である個人）→二次区分へ
（６）  その人達（第三者である複数人）→二次区分へ
（７）  『その動物』
（８）  『その植物』
（９）  『その擬生物』（擬人、神仏、妖怪変化、架空の生物など）
（１０）  そのものごと→二次区分へ
【００３４】
上記の中の「生物」は「活動している成熟した生物の全体像」を指すので、生物の一部分や未完成体や究極体（下記の２．のロ．の「そのものごと」の二次区分参照）は「ものごと」として取り扱う。また、上記の生物や「ものごと」が混在している場合には上記の順（「人」、動物、植物、擬生物、「ものごと」の順）に優先して「主語」にし、同列の生物やものごとの間（例えば、人と人との間）では能動・使役体（受け身でない方）を優先して「主語」にする。
【００３５】
２．上記の一次区分の中の「その人・その人達」と「そのものごと」はその内容が複雑多岐にわたるので次のように体系化して二次区分を行う。
イ．「その人・その人達」の二次区分
・二次区分の体系は次の通り。
【表１】
0003132612.tif 000003
【００３６】
・二次区分の項目は次の２７種類である。
（１）『外国人（達）』・・・外国人だけの場合の外国人（達）をいう。外国人と日本人が混ざっている場合は日本人だけを（受け身になっても）取り上げる。
この「外国人（達）」を下記の日本人（達）と同じように細分割（細分類）してもよい。
［注］以下はすべて日本人（達）である。また、下記の（５）〜（２０）の機関はすべて日本にある又は外国にある「日本の機関」である。また、「機関」にはそれぞれの海外にある機関が含まれ、また、それぞれの機関に属する又はそれぞれの機関が主催する会議体を含む。
（２）問題者（達）・・・仕事や属性（下記の（２２）〜（２５）のような属性）と関係なく注目される日本人（達）をいう。→三次区分へ。
（３）『国際機関で働いている人（達）』
（４）『独立会議体で働いている人（達）』・・・主催する機関がはっきりしない会議体で働いている日本人（達）をいう。
（５）『国会という機関で働いている人（達）』
（６）『地方議会という機関で働いている人（達）』
（７）『政党という機関で働いている人（達）』
（８）『その他の政治・立法的機関で働いている人（達）』
（９）『皇室関係の機関で働いている人（達）』・・・皇族を含む。
（１０）『裁（審）判機関で働いている人（達）』
（１１）『防衛機関で働いている人（達）』・・・外国（人）の侵略や侵害から国を守る機関で働いている日本人（達）をいう。
（１２）『治安機関で働いている人（達）』・・・国内の事件や事故や災害などを予防し、処理するために個人や他の機関に対する即時的、直接的な強制命令権を有する機関やこのような機関に対する拘束力ある告発権や勧告権を有する機関で働いている日本人（達）をいう。
（１３）『その他の国家機関で働いている人（達）』
（１４）『その他の地方機関で働いている人（達）』
（１５）『その他の行政・司法的機関で働いている人（達）』
（１６）『民間の法人等機関で働いている人（達）』・・・「法人」又は「有店舗有スペース機関（住居以外の店舗やスペースを所有して又は借用して営業している機関）」で働いている日本人（達）をいう。
（１７）『民間の個人機関で働いている人（達）』・・・「無店舗無スペース機関」として又は「無店舗無スペース機関（主として自宅）」で働いている日本人（達）をいう。
（１８）『その他の民間的機関で働いている人（達）』
（１９）中間機関で働いている人（達）・・・「行政・司法機関らしくもあり、民間機関らしくもあるような機関」や「行政・司法の分野にもあり、民間の分野にもあるような機関」（例えば、特殊法人、公益法人、独立行政法人、第３セクター、ＮＰＯ、児童福祉委員、民生委員、教育・研究開発・医療・福祉・文化機関など）で働いている日本人（達）をいう。
（２０）『その他の日本の機関で働いている人（達）』・・・異種複数の、又は不特定多数の、又は分類不能の、又は仔細不詳の日本の機関で働いている日本人（達）を含む。
（２１）『その他の仕事人（達）』・・・日本にある又は外国にある「外国の機関」で働いている日本人（達）を含む。
［注］以下は仕事を持っていない日本人（達）と仕事を問題にしない形で捉えた日本人（達）（「非仕事人（達）」と呼ぶ）をいう。但し、（２７）には非仕事人（達）と仕事人（達）の混合体を含む。なお、悪人達は下記の３．の（１）に含める。
（２２）『相対者達』・・・仕事以外のライバルなどをいう。
（２３）『同族達』
（２４）『仲間達』
（２５）『住民達』
（２６）『その他の非仕事人（達）』
（２７）『その他の人（達）』・・・非仕事人（達）と仕事人（達）の混合体を含む。
【００３７】
ロ．「そのものごと」の二次区分
二次区分の項目は次の６種類である。
なお、「ものごと」には外国のものごとを含む。また、「ものごと」が主語になるのは表現上、ものごとよりも優先して主語になる「人」や動物や植物や擬生物がその「ものごと」に絡んでいない場合である。
（１）『天然のものごと』・・・自然物や自然現象をいう。
（２）『生物の一部分であるものごと』・・・ホルモン、蛋白質、脳、手、足、内臓、涙、幹、根、導管、花、実などをいう。生物の部分的な動き、働き、受け身、在り様、アイデンティティーなども含む。
（３）『生物の未完成体であるものごと』・・・成育途上体（遺伝子、細胞、卵、花粉、種子など）をいう。
（４）『生物の究極体であるものごと』・・・成れの果て体（遺体、死骸、食肉、干物、乾物、落ち葉、倒木、ミイラ、化石、捕獲物、収穫物など）をいう。
（５）『生物生成のものごと』・・・「人」や動物や植物や擬生物がこの世にもたらしたものごと又はもたらすであろうものごとで上記（１）〜（４）以外のものごと（国際問題、社会制度、政治、経済、文化、スポーツ、創作物、生産物、建造物、物資、廃棄物、縄張り、群生、カルトなど）をいう。
（６）『その他のものごと』
【００３８】
３．上記の「問題者（達）」については次のような三次区分を行う。
・三次区分の項目は次の７種類である。「問題者（達）」はすべて日本人で、外国人の「問題者（達）」は上記の２．の（１）に含める。
（１）『アウトサイダー（達）』・・・犯罪者、加害者、受刑者、非行者、悪徳者、奇人、変人、憎まれっ子などをいう。
（２）『故人・失踪者（達）』・・・被誘拐者や古代人を含む。
（３）『密告・内偵・目撃・発見・発明・証言者（達）』
（４）『アクテビスト（達）』・・・上記以外の成功者、偉業者、善行者、偉人、勇者、第一人者、幸運者、長寿者などをいう。
（５）『パツシビスト（達）』・・・上記以外の失敗者、落伍者、被害者、犠牲者、困窮者、不運者、破産者、弱者、病人、心身障害者、中毒者、廃人などをいう。
（６）『有名人（達）』・・・上記以外の有名人（達）をいう。
（７）『その他の問題者（達）』
【００３９】
４．資料によっては上述の特定の項目（見出し語）をさらに細分割（細分類）して用いることもある。例えば、資料が判例要旨の場合には「その人・その人達（当事者）」の二次区分の項目（見出し語）のそれぞれをさらに性別、年齢別、出生順別、居住地別などに細分割（細分類）して用いる。
【産業上の利用可能性】
【００４０】
本考案に基づくリング式資料ファイルは、当初から資料の分類保管を確実に行うことができ、後日、その資料を確実容易に検索することができることより、特別な分類検索ファイルとして、販売され活用されるという産業上の利用可能性がある。
【図面の簡単な説明】
【００４１】
【図１】本考案に係る一実施の形態としてのリング式資料ファイルを示す全体斜視図である。（Ａ）は、見開き状態を示す外観斜視図、（Ｂ）は、閉じた状態の外観斜視図、特に、ファイルの背表紙と背見出しラベルを示す図である。
【図２】図１のリング式資料ファイル中に綴じ込まれる各用紙の例を示す平面図である。（Ａ）は、見出し用紙、（Ｂ）は、袋状用紙、（Ｃ）は、記録用紙を示す。
【図３】本考案に係る「５０音順備忘録」の一例を示す。（Ａ）は、閉じた状態の外観斜視図、（Ｂ）は、この「５０音順備忘録」に綴じられている一枚の記録用紙の平面図である。
【符号の説明】
【００４２】
１  見出し用紙、２  袋状用紙、３  記録用紙、４  見出し用の「段（山）」、５  リング、６  背見出しラベル、７  ファイルの背表紙、８  ５０音順備忘録、９  ５０音順備忘録の記録用紙、９Ａ  段（山）。
【図１】
0003132612.tif 000004
【図２】
0003132612.tif 000005
【図３】
0003132612.tif 000006